(57)【要約】      （修正有）【課題】ＩＣタグを備えない文書への押印による印影の有効性を確認可能な、印鑑、印鑑認証方法、印鑑認証システム及び印鑑認証プログラムを提供する。【解決手段】印鑑認証システムＳは、ＩＣタグ６を備えた印鑑１と、印鑑固有の識別情報を近距離無線通信により読み取る読取部を備えた携帯端末２と、印鑑１の押印による印影の有効性を認証する印鑑認証サーバー３とを備え、前記携帯端末２は、印鑑１固有の識別情報を、ネットワークＮを通じて印鑑認証サーバー３に送信する押印送信部を備え、印鑑認証サーバー３は、受信した情報をデータベースに登録された情報と照合して有効であると判断したときに認証コードを作成し、携帯端末２に対して送信する認証コード発行部を備えてなる。【選択図】図１
2014089528.tif 000002
【特許請求の範囲】
【請求項１】
ＩＣタグを備えた印鑑と、前記ＩＣタグに記憶された印鑑固有の識別情報を、近距離無線通信により読み取る読取部を備えた携帯端末と、前記携帯端末にネットワークを通じて接続され、前記印鑑の押印による印影の有効性を認証する印鑑認証サーバーとを備え、
前記携帯端末は、印鑑が被押印シートに押印された際、前記読取部が読み取った印鑑固有の識別情報を、ネットワークを通じて印鑑認証サーバーに送信する押印送信部を備え、
印鑑認証サーバーは、携帯端末から送られた印鑑固有の識別情報を受信した場合に、受信した情報をデータベースに登録された情報と照合して受信した印鑑固有の識別情報の有効性を確認し、受信した印鑑固有の識別情報が有効であると判断したときに認証コードを作成し、前記認証コードを前記携帯端末に対して送信する認証コード発行部を備えた印鑑認証システム。
【請求項２】
携帯端末は、被押印シートに印鑑が押印されたことを検出する押印検出部を備え、
押印送信部は、前記押印検出部により被押印シートへの印鑑の押印が検出されたとき、印鑑認証サーバーに対し印鑑固有の識別情報を送信する請求項１に記載の印鑑認証システム。
【請求項３】
押印検出部は、携帯端末の操作部と印鑑の印面との間に被押印シートを挟んで被押印シートに押印したときに、導電性部材により形成された前記印面から発生する静電容量の変化を検出する静電容量検出部を備えた請求項２に記載の印鑑認証システム。
【請求項４】
印鑑認証サーバーが発行した認証コードを、印鑑認証サーバーのデータベースに照会する認証コード照会部を備えた請求項１乃至請求項３のいずれか一項に記載の印鑑認証システム。
【請求項５】
ＩＣタグを備え、前記ＩＣタグに記憶された固有の識別情報を、近距離無線通信により読み取る読取部を備えた携帯端末に対し送信可能であり、被押印シートに押印がなされた際、前記読取部によりＩＣタグから読み取られた固有の識別情報が、携帯端末からネットワークを通じて認証サーバーに送信され、認証サーバーの演算部が、受信した固有の識別情報をデータベースに登録された情報と照合して受信した固有の識別情報の有効性を確認し、前記演算部が受信した固有の識別情報が有効であると判断したときに認証コードを作成し、前記携帯端末に送信することで印影の有効性を認証可能な印鑑。
【請求項６】
携帯端末の押印検出部によって、被押印シートへの押印がなされたことが検出されたとき、印鑑認証サーバーに対し固有の識別情報が送信される請求項５に記載の印鑑。
【請求項７】
印面が、導電性部材により形成され、携帯端末の操作部と前記印面との間に被押印シートが挟まれたとき、携帯端末の静電容量検出部が、前記印面から発生する静電容量の変化を検出することで、押印がなされたことを検出する請求項６に記載の印鑑。
【請求項８】
印鑑認証サーバーが発行した認証コードを、印鑑認証サーバーのデータベースに照会することで印影の有効性を認証可能な請求項５乃至請求項７のいずれか一項に記載の印鑑。
【請求項９】
コンピュータを、ＩＣタグを備えた印鑑が被押印シートに押印された際、前記ＩＣタグに記憶された印鑑固有の識別情報を、近距離無線通信により読み取る読取手段、
前記読取手段で読み取った印鑑固有の識別情報を、ネットワークを通じて印鑑認証サーバーに送信する送信手段、
印鑑認証サーバーが、携帯端末から送られた印鑑固有の識別情報をデータベースに登録された情報と照合して受信した印鑑固有の識別情報の有効性を確認し、受信した印鑑固有の識別情報が有効であると判断したときに認証コードを作成し、印鑑認証サーバーから携帯端末に送られた前記認証コードを受信する受信手段として機能させるための印鑑認証プログラム。
【請求項１０】
コンピュータを、被押印シートに印鑑が押印されたことを検出する押印検出手段として機能させ、
送信手段は、前記押印検出手段により被押印シートへの印鑑の押印が検出されたとき、印鑑認証サーバーに対し印鑑固有の識別情報を送信する請求項９に記載の印鑑認証プログラム。
【請求項１１】
押印検出手段は、携帯端末の操作部と印鑑の印面との間に被押印シートを挟んで被押印シートに押印したときに、導電性部材により形成された前記印面から発生する静電容量の変化を検出する請求項１０に記載の印鑑認証プログラム。
【請求項１２】
コンピュータを、印鑑認証サーバーが発行した認証コードを、印鑑認証サーバーのデータベースに照会する認証コード照会手段として機能させる請求項９乃至請求項１１のいずれか一項に記載の印鑑認証プログラム。
【請求項１３】
ＩＣタグを備えた印鑑から、前記ＩＣタグに記憶された印鑑固有の識別情報を、携帯端末の読取部で近距離無線通信により読み取り、前記携帯端末にネットワークを通じて接続された印鑑認証サーバーによって前記印鑑の押印による印影の有効性を認証する印鑑認証方法であって、
前記携帯端末は、印鑑によって被押印シートに押印された際、前記読取部が読み取った印鑑固有の識別情報を、ネットワークを通じて印鑑認証サーバーに送信し、
印鑑認証サーバーは、携帯端末から送られた印鑑固有の識別情報を受信した場合に、受信した情報をデータベースに登録された情報と照合して受信した印鑑固有の識別情報の有効性を確認し、受信した印鑑固有の識別情報が有効であると判断したときに認証コードを作成し、前記認証コードを前記携帯端末に対して送信する印鑑認証方法。
【請求項１４】
携帯端末は、被押印シートに印鑑が押印されたことを押印検出部により検出したとき、印鑑認証サーバーに対し印鑑固有の識別情報を送信する請求項１３に記載の印鑑認証方法。
【請求項１５】
押印検出部が、携帯端末の操作部と印鑑の印面との間に被押印シートが挟まれて被押印シートに押印されたときに、導電性部材により形成された前記印面から発生する静電容量の変化を検出する請求項１４に記載の印鑑認証方法。
【請求項１６】
印鑑認証サーバーが発行した認証コードを、印鑑認証サーバーのデータベースに照会可能である請求項１３乃至請求項１５のいずれか一項に記載の印鑑認証方法。
【発明の詳細な説明】
【技術分野】
【０００１】
本発明は印鑑、印鑑認証方法、印鑑認証システム及び印鑑認証プログラムに関するものである。
【背景技術】
【０００２】
文書及び該文書に押印される印鑑を適正に管理する方法として、下記特許文献１，２には、文書及び文書に押される印鑑がともにＩＣタグを備え、これらのＩＣタグに記憶された固有の識別情報を、専用の読み取り器によって読み取り、サーバー等で管理する技術が開示されている。
【先行技術文献】
【特許文献】
【０００３】
【特許文献１】特開２００７−２４９３９９号公報
【特許文献２】特開２０００−２３１６２６号公報
【発明の概要】
【発明が解決しようとする課題】
【０００４】
しかし、上記特許文献１、２に記載の管理方法では、ＩＣタグを備えない文書を管理することができない。また、文書への押印が、印鑑の所有者本人により適正に行われたかどうかを確認することはできない。
【０００５】
本発明は上記した課題を解決するものであり、ＩＣタグを備えない文書への押印による印影の有効性を、確認可能な印鑑、印鑑認証方法、印鑑認証システム及び印鑑認証プログラムの提供を目的とする。
【課題を解決するための手段】
【０００６】
上記目的を達成するために、本発明にかかる印鑑認証システムは、ＩＣタグを備えた印鑑と、前記ＩＣタグに記憶された印鑑固有の識別情報を、近距離無線通信により読み取る読取部を備えた携帯端末と、前記携帯端末にネットワークを通じて接続され、前記印鑑の押印による印影の有効性を認証する印鑑認証サーバーとを備え、前記携帯端末は、印鑑が被押印シートに押印された際、前記読取部が読み取った印鑑固有の識別情報を、ネットワークを通じて印鑑認証サーバーに送信する押印送信部を備え、印鑑認証サーバーは、携帯端末から送られた印鑑固有の識別情報を受信した場合に、受信した情報をデータベースに登録された情報と照合して受信した印鑑固有の識別情報の有効性を確認し、受信した印鑑固有の識別情報が有効であると判断したときに認証コードを作成し、前記認証コードを前記携帯端末に対して送信する認証コード発行部を備えてなる。
【０００７】
また、前記構成において、携帯端末は、被押印シートに印鑑が押印されたことを検出する押印検出部を備え、押印送信部は、前記押印検出部により被押印シートへの印鑑の押印が検出されたとき、印鑑認証サーバーに対し印鑑固有の識別情報を送信する。
【０００８】
そして、前記構成において、押印検出部は、携帯端末の操作部と印鑑の印面との間に被押印シートを挟んで被押印シートに押印したときに、導電性部材により形成された前記印面から発生する静電容量の変化を検出する静電容量検出部を備えてなる。
【０００９】
更に、前記各構成において、印鑑認証サーバーが発行した認証コードを、印鑑認証サーバーのデータベースに照会する認証コード照会部を備えてなる。
【００１０】
また、本発明にかかる印鑑は、ＩＣタグを備え、前記ＩＣタグに記憶された固有の識別情報を、近距離無線通信により読み取る読取部を備えた携帯端末に対し送信可能であり、被押印シートに押印がなされた際、前記読取部によりＩＣタグから読み取られた固有の識別情報が、携帯端末からネットワークを通じて認証サーバーに送信され、認証サーバーの演算部が、受信した固有の識別情報をデータベースに登録された情報と照合して受信した固有の識別情報の有効性を確認し、前記演算部が受信した固有の識別情報が有効であると判断したときに認証コードを作成し、前記携帯端末に送信することで印影の有効性を認証可能である。
【００１１】
更に、前記構成において、携帯端末の押印検出部によって、被押印シートへの押印がなされたことが検出されたとき、印鑑認証サーバーに対し固有の識別情報が送信される。
【００１２】
更に、前記構成において、印面が、導電性部材により形成され、携帯端末の操作部と前記印面との間に被押印シートが挟まれたとき、携帯端末の静電容量検出部が、前記印面から発生する静電容量の変化を検出することで、押印がなされたことを検出する。
【００１３】
更に、前記各構成において、印鑑認証サーバーが発行した認証コードを、印鑑認証サーバーのデータベースに照会することで印影の有効性を認証可能である。
【００１４】
また、本発明にかかる印鑑認証プログラムは、コンピュータを、ＩＣタグを備えた印鑑が被押印シートに押印された際、前記ＩＣタグに記憶された印鑑固有の識別情報を、近距離無線通信により読み取る読取手段、前記読取手段で読み取った印鑑固有の識別情報を、ネットワークを通じて印鑑認証サーバーに送信する送信手段、印鑑認証サーバーが、携帯端末から送られた印鑑固有の識別情報をデータベースに登録された情報と照合して受信した印鑑固有の識別情報の有効性を確認し、受信した印鑑固有の識別情報が有効であると判断したときに認証コードを作成し、印鑑認証サーバーから携帯端末に送られた前記認証コードを受信する受信手段として機能させるものである。
【００１５】
更に、前記構成において、コンピュータを、被押印シートに印鑑が押印されたことを検出する押印検出手段として機能させ、送信手段は、前記押印検出手段により被押印シートへの印鑑の押印が検出されたとき、印鑑認証サーバーに対し印鑑固有の識別情報を送信する。
【００１６】
更に、前記構成において、押印検出手段は、携帯端末の操作部と印鑑の印面との間に被押印シートを挟んで被押印シートに押印したときに、導電性部材により形成された前記印面から発生する静電容量の変化を検出する。
【００１７】
更に、前記各構成において、コンピュータを、印鑑認証サーバーが発行した認証コードを、印鑑認証サーバーのデータベースに照会する認証コード照会手段として機能させる。
【００１８】
また、本発明にかかる印鑑認証方法は、ＩＣタグを備えた印鑑から、前記ＩＣタグに記憶された印鑑固有の識別情報を、携帯端末の読取部で近距離無線通信により読み取り、前記携帯端末にネットワークを通じて接続された印鑑認証サーバーによって前記印鑑の押印による印影の有効性を認証する印鑑認証方法であって、前記携帯端末は、印鑑によって被押印シートに押印された際、前記読取部が読み取った印鑑固有の識別情報を、ネットワークを通じて印鑑認証サーバーに送信し、印鑑認証サーバーは、携帯端末から送られた印鑑固有の識別情報を受信した場合に、受信した情報をデータベースに登録された情報と照合して受信した印鑑固有の識別情報の有効性を確認し、受信した印鑑固有の識別情報が有効であると判断したときに認証コードを作成し、前記認証コードを前記携帯端末に対して送信する。
【００１９】
更に、前記構成において、携帯端末は、被押印シートに印鑑が押印されたことを押印検出手段により検出したとき、印鑑認証サーバーに対し印鑑固有の識別情報を送信する。
【００２０】
更に、前記構成において、押印検出手段が、携帯端末の操作部と印鑑の印面との間に被押印シートが挟まれて被押印シートに押印されたときに、導電性部材により形成された前記印面から発生する静電容量の変化を検出する。
【００２１】
更に、前記構成において、印鑑認証サーバーが発行した認証コードを、印鑑認証サーバーのデータベースに照会可能である。
【発明の効果】
【００２２】
本発明にかかる印鑑認証システムによれば、携帯端末は、印鑑によって被押印シートに押印された際、読取部が読み取った印鑑固有の識別情報を、ネットワークを通じて印鑑認証サーバーに送信する押印送信部を備え、印鑑認証サーバーは、携帯端末から送られた印鑑固有の識別情報を受信した場合に、受信した情報をデータベースに登録された情報と照合して受信した印鑑固有の識別情報の有効性を確認し、受信した印鑑固有の識別情報が有効であると判断したときに認証コードを作成し、前記認証コードを前記携帯端末に対して送信する認証コード発行部を備えたので、従来のＩＣタグを備えない紙媒体による被押印シートを活用しつつ、印影の有効性を電磁的方法により証明することが可能となる。
【００２３】
また、携帯端末は、被押印シートに印鑑が押印されたことを検出する押印検出部を備え、
押印送信部は、前記押印検出部により被押印シートへの印鑑の押印が検出されたとき、印鑑認証サーバーに対し印鑑固有の識別情報を送信する場合は、印鑑の被押印シートへの押印動作に伴って印影の有効性の認証要求を行うことができる。
【００２４】
そして、押印検出部は、携帯端末の操作部と印鑑の印面との間に被押印シートを挟んで被押印シートに押印したときに、導電性部材により形成された前記印面から発生する静電容量の変化を検出する静電容量検出部を備えた場合は、操作部と印面との間に被押印シートを挟むという簡単な動作によって、容易に被押印シートへの印鑑による押印を検出することができる。
【００２５】
更に、印鑑認証サーバーが発行した固有の認証コードを、印鑑認証サーバーのデータベースに照会する認証コード照会部を備えた場合は、容易に印影の有効性を確認することができる。
【００２６】
また、本発明にかかる印鑑によれば、携帯端末の読取部によりＩＣタグから読み取られた固有の識別情報が、携帯端末からネットワークを通じて認証サーバーに送信され、認証サーバーの演算部が、受信した固有の識別情報をデータベースに登録された情報と照合して認証コードを作成し、前記携帯端末に送信するので、従来のＩＣタグを備えない紙媒体による被押印シートへの押印であっても、該印鑑を用いることで印影の有効性を電磁的方法により容易に証明することが可能である。
【００２７】
更に、前記構成において、携帯端末の押印検出部によって、被押印シートへの押印がなされたことが検出されたとき、印鑑認証サーバーに対し固有の識別情報が送信される場合は、印鑑の被押印シートへの押印動作に伴って印影の有効性の認証要求を行うことができる。
【００２８】
更に、前記構成において、印面が、導電性部材により形成され、携帯端末の操作部と前記印面との間に被押印シートが挟まれたとき、携帯端末の静電容量検出部が、前記印面から発生する静電容量の変化を検出することで、押印がなされたことを検出する場合は、操作部と印面との間に被押印シートを挟むという簡単な押印動作で、容易に被押印シートへの印鑑による押印を検出することができる。
【００２９】
また、本発明にかかる印鑑認証プログラムは、コンピュータを、ＩＣタグを備えた印鑑が被押印シートに押印された際、前記ＩＣタグに記憶された印鑑固有の識別情報を、近距離無線通信により読み取る読取手段、前記読取手段で読み取った印鑑固有の識別情報を、ネットワークを通じて印鑑認証サーバーに送信する送信手段、印鑑認証サーバーが、携帯端末から送られた印鑑固有の識別情報をデータベースに登録された情報と照合して受信した印鑑固有の識別情報の有効性を確認し、受信した印鑑固有の識別情報が有効であると判断したときに認証コードを作成し、印鑑認証サーバーから携帯端末に送られた前記認証コードを受信する受信手段として機能させるので、従来のＩＣタグを備えない紙媒体による被押印シートを活用しつつ、印影の有効性を電磁的方法により証明することが可能となる。
【００３０】
更に、前記構成において、コンピュータを、被押印シートに印鑑が押印されたことを検出する押印検出部として機能させ、送信手段は、前記押印検出部により被押印シートへの印鑑の押印が検出されたとき、印鑑認証サーバーに対し印鑑固有の識別情報を送信する場合は、被押印シートへの押印動作に伴って印影の有効性の認証要求を行うことができる。
【００３１】
更に、前記構成において、押印検出部が、携帯端末の操作部と印鑑の印面との間に被押印シートを挟んで被押印シートに押印したときに、導電性部材により形成された前記印面から発生する静電容量の変化を検出する静電容量検出部として機能させる場合は、操作部と印面との間に被押印シートを挟んで押印するという簡単な動作によって、容易に被押印シートへの印鑑による押印を検出することができる。
【００３２】
更に、前記各構成において、コンピュータを、印鑑認証サーバーが発行した認証コードを、印鑑認証サーバーのデータベースに照会する認証コード照会手段として機能させる場合は、容易に印影の有効性を確認することができる。
【００３３】
また、本発明にかかる印鑑認証方法は、携帯端末は、印鑑によって被押印シートに押印された際、読取部が読み取った印鑑固有の識別情報を、ネットワークを通じて印鑑認証サーバーに送信し、印鑑認証サーバーは、携帯端末から送られた印鑑固有の識別情報を受信した場合に、受信した情報をデータベースに登録された情報と照合して受信した印鑑固有の識別情報の有効性を確認し、受信した印鑑固有の識別情報が有効であると判断したときに認証コードを作成し、前記認証コードを前記携帯端末に対して送信するので、従来のＩＣタグを備えない紙媒体による被押印シートを活用しつつ、印影の有効性を電磁的方法により証明することが可能となる。
【００３４】
更に、前記構成において、携帯端末は、被押印シートに印鑑が押印されたことを押印検出部により検出したとき、印鑑認証サーバーに対し印鑑固有の識別情報を送信する場合は、印鑑の被押印シートへの押印動作に伴って印影の有効性の認証要求を行うことができる。
【００３５】
更に、前記構成において、押印検出部が、携帯端末の操作部と印鑑の印面との間に被押印シートが挟まれて被押印シートに押印されたときに、導電性部材により形成された前記印面から発生する静電容量の変化を検出する場合は、操作部と印面との間に被押印シートを挟むという簡単な動作によって、容易に被押印シートへの印鑑による押印を検出することができる。
【００３６】
更に、前記各構成において、印鑑認証サーバーが発行した認証コードを、印鑑認証サーバーのデータベースに照会可能である場合は、容易に印影の有効性を確認することができる。
【図面の簡単な説明】
【００３７】
【図１】本発明の一実施形態に係る印鑑認証システムのネットワーク図である。
【図２】前記印鑑認証システムの印鑑のＩＣタグの構成図である。
【図３】前記印鑑認証システムの携帯端末の構成図である。
【図４】前記印鑑認証システムの印鑑認証サーバーの構成図である。
【発明を実施するための形態】
【００３８】
以下、本発明の実施の形態を図面に基づいて説明する。図１は、本発明にかかる印鑑認証システムＳのネットワーク図である。印鑑認証システムＳは、印鑑１と、前記印鑑１の所有者や関係者等のユーザーに使用される携帯端末２と、前記携帯端末２にネットワークＮを介して接続可能な印鑑認証サーバー３とを備えている。
【００３９】
印鑑１は、押印時に印影を転写する印面５を有する。この印面５は、導電性素材により形成される。また、印鑑１は、ＩＣタグ６を内蔵して備えている。図２は、ＩＣタグ６の構成を示す。ＩＣタグ６は、アンテナ部８、電力生成部９、記憶部１０、制御部１１を備える。アンテナ部８は、携帯端末２との間で電波を送受信し、情報交換を行う。電力生成部９は、アンテナ部８が携帯端末２からの電波を受信した際に生じる誘導起電力を利用して電力を発生する。記憶部１０は、印鑑１の持つ固有の識別情報を記憶している。制御部１１は、記憶部１０に記憶されている印鑑１の識別情報を読み出して、アンテナ部８から携帯端末２へ送信する。
【００４０】
印鑑１により押印される被押印シート４は、契約書、保険証書、銀行の口座開設申込書等の各種書類である。この被押印シート４には、書類の種類毎に、又は書類一枚毎に、それぞれ固有の識別番号が付されることとしてもよい。
【００４１】
携帯端末２は、携帯電話やＰＤＡなどの情報処理装置等を用いることができる。図３は、携帯端末２の構成を示す。携帯端末２は、無線部１３、表示部１４、読取部１５、アンテナ部１６、記憶部１７、操作部１８、制御部１９を備えている。無線部１３は、携帯端末２の無線通信基地局２０との間で情報の送受信を行う。そして、無線通信基地局２０がネットワークＮに接続されることで、携帯端末２は無線通信基地局２０を介してネットワークＮに接続可能となる。
【００４２】
表示部２３は例えば携帯電話やＰＤＡの表示画面であり、表示部１４を指先やタッチペン等で触ることで、入力操作が可能となるタッチパネルを用いる。この場合、表示部１４が操作部１８を兼ねて構成される。操作部１８は、タッチパネルの各種方式のうち、特に、静電容量式を用いる。操作部１８は、被押印シート４に印鑑１が押印されたことを検出する押印検出部２２を備える。押印検出部２２は、携帯端末２の操作部１８と印鑑１の印面５との間に被押印シート４を挟んで被押印シート４に押印したときに、導電性部材により形成された印面５から発生する静電容量の変化を検出する静電容量検出部２３を備える。静電容量検出部２３は、例えば、携帯端末２の操作部１８としての操作画面上に載せられた被押印シート４に押印するため、操作画面と印鑑１の印面５との間に被押印シート４を挟んだときに生じる静電容量の変化を読み取る。
【００４３】
読取部１５は、ＲＦＩＤリーダライタにより構成される。読取部１５は、アンテナ部１６によって、印鑑１のアンテナ部８に電波を発信し、電力生成部９に電力を生成させるとともに、印鑑１固有の識別情報を読み取る。記憶部１７は読取部１５で読み取った印鑑１固有の識別情報及び携帯端末２自体の識別情報等を記憶する。
【００４４】
制御部１９には、所定のアプリケーションを実行するプログラムが組み込まれている。制御部１９は、登録申込部２５、押印送信部２５、認証コード照会部２６を備える。登録申込部２５は、ユーザーに印鑑認証サーバー３に対して認証サービスの利用申し込みをさせる機能を有する。認証サービスの利用申し込みには、印鑑１のＩＣタグ６に記憶されている固有の識別情報、印鑑１の所有者の住所、氏名、生年月日、性別等の印鑑１の所有者に関する情報、携帯端末２の識別情報等が必須登録事項とされる。尚、印鑑１の所有者に関する情報には、印鑑１所有者のマイナンバーを含めることも可能である。マイナンバーは、年金、医療、介護保険、福祉、労働保険の社会保障分野と国や地方の税務分野に共通の固有番号であり、本人を証明可能である。そして、必要により印鑑１の印影画像をデータ化した印影画像情報、印鑑証明書番号、印鑑種別、用途、認証サービスを利用する際に必要となる手数料の納付方法等の各種情報が登録可能とされる。登録申込部２５は、読取部１５で読み取り、また操作部１８の操作により入力されたこれらの情報を無線部１３から印鑑認証サーバー３に対し送信する。
【００４５】
この登録申込部２５による認証サービスの利用申し込みの際は、ネットワークＮを利用したによる申し込みに加え、必要により、ユーザーが、郵便や宅配等により住民票や印鑑登録証明書等の紙媒体の書類を、別途印鑑認証サーバー３の管理団体に対し発送することとしてもよい。
【００４６】
押印送信部２５は、印鑑１によって被押印シート４に押印された際、ネットワークＮを通じて印鑑認証サーバー３に対し印鑑１固有の識別情報を送信する。印鑑１によって被押印シート４に押印されたことは、押印検出部２２により検出される。送信の際には、記憶部１７に記憶している携帯端末２の識別情報や、携帯端末２のユーザーが操作部１８を操作して入力した印鑑１の所有者であるユーザー自身に関する情報、認証サービスの利用申し込みによって印鑑認証サーバー３から与えられた利用者ＩＤ及びパスワード等の各種情報が、印鑑１固有の識別情報とともに同時に送られる。携帯端末２がＧＰＳ機能を備える場合、印鑑１によって被押印シート４に押印された場所の緯度、経度等の位置情報を、印鑑１固有の識別情報とともに送信することも可能である。
【００４７】
更に、制御部１９は、無線部１３から印鑑認証サーバー３への送信に対し、該印鑑認証サーバー３から返信された情報を表示部１４に表示する制御を行う。
【００４８】
認証コード照会部２６は、印鑑認証サーバー３が発行した固有の認証コードを、印鑑認証サーバー３のデータベース２９に照会する機能を有する。また、照会結果を受信し、表示部１４に表示する。
【００４９】
印鑑認証サーバー３は、印鑑１の印影の有効性を認証する認証サービスを行う公的なまたは民間の団体により管理運営される。印鑑認証サーバー３の構成を図４に示す。印鑑認証サーバー３は、データベース２９及び演算部２８を備える。演算部２８には、所定のプログラムが組み込まれている。演算部２８は、登録部３１、認証コード発行部３２、照会処理部３３を備える。データベース２９は、識別情報記憶部３５及び認証コード記憶部３６を備える。
【００５０】
登録部３１は、ユーザーからの認証サービスの利用申し込みを受付ける。登録部３１は、ユーザーが認証サービスの利用を申し込むため携帯端末２の登録申込部２４から送信した各種情報を受信し、受信した内容を審査する。審査の際は、必要により、別途ユーザーから郵便や宅配等により送付された紙媒体の書類を照会してもよい。審査に合格すると、受信した各種情報は、データベース２９の識別情報記憶部３５に記憶される。
【００５１】
そして、登録部３１は、申し込みを行ったユーザーに対し、印鑑認証サーバー３のサービス利用権限として利用者ＩＤとパスワードを発行する。この利用者ＩＤとパスワードは、印鑑１固有の識別情報に関連付けられて識別情報記憶部３５に記憶される。また、利用者ＩＤとパスワードは、認証サービスの利用期限等の情報とともに、登録部３１によって印鑑認証サーバー３からネットワークＮを通じてユーザーの携帯端末２に送信される。
【００５２】
認証コード発行部３２は、携帯端末２から送られた印鑑１固有の識別情報を受信した場合に、受信した情報をデータベース２９に登録された情報と照合して受信した印鑑１固有の識別情報の有効性を確認し、受信した印鑑１固有の識別情報が有効であると判断したときに認証コードを作成し、前記認証コードを前記携帯端末２に対して送信する。携帯端末２からは、印鑑１固有の識別情報とともに、携帯端末２の識別情報、利用者ＩＤ及びパスワードも送信される。認証コード発行部３２は、受信したこれらの情報を、データベース２９の識別情報記憶部３５の登録内容に照らし合わせる。受信した各種情報が登録内容に一致した場合、固有の認証コードを作成し、データベース２９の認証コード記憶部３６に保存するとともに、ユーザーの携帯端末２に対しネットワークＮを介して送信する。
【００５３】
照会処理部３３は、携帯端末２から送られた認証コードを、データベース２９の認証コード記憶部３６に照会し、一致する認証コードの有無を確認する。また、照会結果を認証コードの照会要求のあった携帯端末２に対し送信する。
【００５４】
本発明の作用につき、以下に説明する。印鑑認証サーバー３による認証サービスの利用を申し込む際には、ユーザーは、まず、携帯端末２の操作部１８を操作し、所定のアプリケーションを起動する。そして、ユーザーが、印鑑１を携帯端末２に近接させる。これにより、読取部１５がアンテナ部１６を介して印鑑１固有の識別情報を読み取る。
【００５５】
また、ユーザーは、操作部１８を操作して、印鑑１の所有者の住所、氏名、生年月日、性別等の印鑑１の所有者に関する情報を入力し、必要により印鑑１の印影画像をデータ化した印影画像情報、印鑑証明書番号、印鑑種別、用途等の各種情報を入力する。また、操作部１８の操作によりあるいは自動で、携帯端末２の識別情報を読み出す。登録申込部２４は、これらの各種情報を印鑑認証サーバー３に送信できるよう準備する。
【００５６】
ユーザーの送信を実行させる操作に応じて、登録申込部２４はこれらの認証サービスの利用申し込みのための情報を無線部１３より送信する。無線部１３から送信された情報は、無線通信基地局２０、ネットワークＮを介し、印鑑認証サーバー３へ送信される。
【００５７】
印鑑認証サーバー３は、携帯端末２からの認証サービスの利用申し込みを受信すると、登録部３１が記入漏れ等がないか確認して審査を行う。尚、審査の際には、必要により、印鑑認証サーバー３の管理団体へ別途送られた紙媒体の各種書類の内容を、審査する者が確認し、審査の合否判断を行い、結果を入力操作する。審査に合格の場合、登録部３１は、識別情報記憶部３５に記憶して登録処理を行う。登録が完了すると、登録部３１は、利用者ＩＤとパスワードを作成し、識別情報記憶部３５に印鑑１固有の識別情報に関連付けられて記憶される。そして、記憶した利用者ＩＤ、パスワードを、有効期限等の情報とともに携帯端末２に送信する。携帯端末２は、登録部３１の送信した情報を受信する。
【００５８】
次に、ユーザーが、印鑑１を用いて被押印シート４に押印を行った場合に、印鑑認証サーバー３によって印影の有効性を認証する方法について説明する。ユーザーは、まず、携帯端末２の操作部１８を操作し、専用のアプリケーションを起動する。そして、ユーザーは、利用者ＩＤ及びパスワードを操作部１８より入力操作する。さらに、携帯端末２の識別情報が読み込まれる。携帯端末２の識別情報の読み込みは、ユーザーの操作部１８からの操作によってでもよく、また、制御部１９が記憶部１７に問い合わせることで自動で行われてもよい。
【００５９】
このような状態で、ユーザーは、携帯端末２の操作画面の上に被押印シート４を載置し、印鑑１を用いて押印する。押印の際、印鑑１のＩＣタグ６と携帯端末２の距離が所定量以内になると、携帯端末２から印鑑１のＩＣタグ６に送られた電波の誘導起電力を利用して、電力生成部９が電力を発生する。そして、印鑑１の制御部１１が、記憶部１０に記憶している印鑑１固有の識別情報を携帯端末２に送信する。読取部１５は、アンテナ部１６を介して印鑑１から送られた印鑑１固有の識別情報を読み取る。このように、印鑑１は、読取部１５を有する携帯端末２に近接することで電力生成部９が電力を生成できるので、電池不要であり、利便性が高い。
【００６０】
静電容量検出部２３は、被押印シート４への印鑑１の押印時に、導電性部材により形成された印鑑１の印面５から発生する静電容量の変化を読み取り、被押印シート４に印鑑１が押印されたことを検出する。
【００６１】
そして、静電容量検出部２３が、被押印シート４に印鑑１が押印されたことを検出すると、押印送信部２５は、読取部１５が読み取った印鑑１固有の識別情報、携帯端末２の識別情報、利用者ＩＤ及びパスワードを、無線部１３から無線通信基地局２０へ送信し、ネットワークＮを介して印鑑認証サーバー３に送信する。
【００６２】
このように、携帯端末２は、被押印シート４に印鑑が押印されたことを検出する押印検出部２２を備え、押印送信部２５は、押印検出部２２により被押印シート４への印鑑の押印が検出されたとき、印鑑認証サーバー３に対し印鑑１固有の識別情報を送信するので、ユーザーが、被押印シート４への押印動作に伴って印影の有効性の認証要求を行うことができる。
【００６３】
印鑑認証サーバー３に送信される情報には、印鑑１固有の識別情報、携帯端末２の識別情報、利用者ＩＤ及びパスワードに加え、印鑑１所有者のマイナンバーや、被押印シート４固有の識別番号、ＧＰＳ機能を利用した位置情報等を同時に送信することとしてもよい。マイナンバー及び被押印シート４の固有の識別番号は、ユーザーが操作部１８を操作することで入力する。マイナンバー、被押印シート４固有の識別番号、位置情報等を、他の情報とともに印鑑認証サーバー３に送信することで、印鑑１の押印による印影の有効性を、より安全、確実に認証し、管理可能である。
【００６４】
また、押印検出部２２は、携帯端末２の操作部１８と印鑑１の印面５との間に被押印シート４を挟んで被押印シート４に押印したときに、導電性部材により形成された印面５から発生する静電容量の変化を検出する静電容量検出部２３を備えたので、タッチパネル等の操作部１８の上に被押印シート４を置き、その上でユーザーが押印動作を行うことで容易に押印動作を検出することができる。
【００６５】
印鑑認証サーバー３は、携帯端末２からの印鑑１の押印による印影の有効性の認証要求を受信すると、認証コード発行部３２が、受信した各種情報を、データベース２９に照い合わせる。照合の結果、受信した情報がデータベース２９の識別情報記憶部３５に記憶された内容と一致することを確認し、受信した情報が有効であると判断すると、認証コード発行部３２は、認証コードを作成する。
【００６６】
この認証コードは、登録部３１によって登録された印鑑１を用いた一回の押印動作について、固有の一の認証コードが割り当てられる。よって、印鑑１及び携帯端末２が同じでも、異なる時間に押印動作をし、いずれの押印動作についてもそれぞれ認証要求した場合には、異なる認証コードが割り当てられる。
【００６７】
作成された認証コードは、有効期限、利用手数料などの情報とともに認証コード発行部３２によって携帯端末２に対し一回のみ送信されるとともに、データベース２９の認証コード記憶部３６に記憶される。その際、携帯端末２から送られた位置情報が認証コードに関連付けられて記憶される。送られた認証コードは、ネットワークＮ、無線通信基地局２０を介して携帯端末２に受信され、携帯端末２の表示部１４に表示される。
【００６８】
ユーザーは、表示部１４に表示された認証コードを、筆記具を用いて被押印シート４に記載する。被押印シート４に押印された印鑑１の印影の有効性は、この認証コードを用いて確認することができる。例えば、印鑑１の所有者本人が過去に押印を行った被押印シート４の印影の有効性を確認する場合や、印鑑１の所有者以外の者が、被押印シート４に押された印鑑が、有効かどうか確認したい場合、携帯端末４の操作部１８を操作し、所定のアプリケーションを起動する。そして、被押印シート４に記載された認証コードを操作部１８を操作して入力する。携帯端末２の認証コード照会部２６は、入力された認証コードを無線部１３、無線通信基地局２０、ネットワークＮを介して印鑑認証サーバー３に問い合わせる。
【００６９】
印鑑認証サーバー３の照会処理部３３は、携帯端末２から送られた認証コードを、データベース２９の認証コード記憶部３６に照会する。照会の結果、一致する認証コードがあった場合、認証コードの照会要求のあった携帯端末２に対し、印影が有効であることを送信する。一致する認証コードがなかった場合、携帯端末２に対し一致する認証コードがないことを送信する。
【００７０】
携帯端末２の照会処理部３３は、印鑑認証サーバー３から送信された認証コードの照会結果を表示部１４に表示する。これにより、印鑑１の所有者本人や本人以外の第三者が、容易に印影の有効性を確認可能である。
【００７１】
以上より、印鑑認証システムＳは、従来の紙媒体等による被押印シート４を活用しつつ、印鑑の押印による印影の有効性を電磁的方法により証明することが可能となる。また、印鑑認証サーバー３が発行した固有の認証コードを、印鑑認証サーバー３のデータベース２９に照会する認証コード照会部２６を備えたので、容易に印影の有効性を確認することができる。
【００７２】
尚、上記実施形態では、印鑑１は、ＩＣタグ６を内蔵して備えたが、これに限定されず、外部に取り付けて備えてもよい。操作部１８は、静電容量式タッチパネルとされたが、感圧式タッチパネルとしてもよく、タッチパネルに替えて、文字、数字、カーソル移動、決定等の各種入力ボタンにより構成してもよい。また、読取部１５によって印鑑１固有の識別情報を読み取る方法が、携帯端末２の操作画面上に載置された被押印シート４に印鑑１を用いて押印するという方法だったが、印鑑１を携帯端末２に接近させて読み取ってもよい。この場合、被押印シート４に印鑑１が押印された事実は、上記実施形態における静電容量検出部２３が、印鑑１の印面５から発生する静電容量の変化を検出するのに替えて、例えば、印鑑所有者が指先やタッチペンで操作画面に触れる等して、印鑑が被押印シートに押印された事実を選択操作することとしてもよい。
【符号の説明】
【００７３】
Ｎ  ネットワーク
Ｓ  印鑑認証システム
１  印鑑
２  携帯端末
３  印鑑認証サーバー
６  ＩＣタグ
１５  読取部
２２  押印検出部
２５  押印送信部
２６  認証コード照会部
２３  静電容量検出部
３２  認証コード発行部
【図１】
2014089528.tif 000003
【図２】
2014089528.tif 000004
【図３】
2014089528.tif 000005
【図４】
2014089528.tif 000006